(57)【特許請求の範囲】
【請求項１】
貯留タンク（１）と計量タンク（２）を上下に配置し、貯留タンク（１）に装着した計量シャッタ（３）を計量スイッチ（Ｓ）のＯＮ操作によりコントロ−ラ（Ｃ）を介して作動し、貯留タンク（１）内の穀粒を計量タンク（２）で一括してバッチ計量するもので、計量タンク（２）の排出樋（５）に足踏みペダル（１１）の踏み込みにより開動する排出シャッタ（１２）を設けるとともに、ペダルストッパ−（１３）の作動体（１４）をコントロ−ラ（Ｃ）に接続して、計量スイッチ（Ｓ）のＯＮ操作時ペダルストッパ−（１３）により足踏みペダル（１１）を踏み込めない状態にしたことを特徴とする穀物バッチ計量機の誤作動防止装置。
【請求項２】
計量シャッタ（３）の全閉状態を検出するリミットスイッチ（８）をコントロ−ラ（Ｃ）に接続して、リミットスイッチ（８）のＯＮ作動によりペダルストッパ−（１３）を非作用状態にし踏み込みを可能にすることを特徴とする請求項１．記載の穀物バッチ計量機の誤作動防止装置。
【請求項３】
足踏みペダル（１１）の踏み込み前の状態を検出する感知スイッチ（１５）をコントロ−ラ（Ｃ）に接続して、感知スイッチ（１５）のＯＮ作動により計量スイッチ（Ｓ）のＯＮ操作を可能にしたことを特徴とする請求項１又は２．記載の穀物バッチ計量機の誤作動防止装置。
【請求項４】
貯留タンク（１）と計量タンク（２）を上下に配置し、貯留タンク（１）に装着した計量シャッタ（３）を計量スイッチ（Ｓ）のＯＮ操作によりコントロ−ラ（Ｃ）を介して作動し、貯留タンク（１）内の穀粒を計量タンク（２）で一括してバッチ計量するもので、計量タンク（２）の排出樋（５）の下部がわを計量タンク（２）がわから分割分離して独立的に支持し、その独立的に支持した下部がわから出るものを容器（９）に受けて収納する構成にしたことを特徴とする請求項１ないし３に記載の穀物バッチ計量機の誤作動防止装置。
【発明の詳細な説明】
【０００１】
【発明の属する技術分野】
本発明は、米・麦・大豆等の穀物を計量タンクにより所定量ずつ一括して計量して取出し容器に収納する穀物バッチ計量機の誤作動防止装置に関するものである。
【０００２】
【従来の技術】
従来、上記のような穀物バッチ計量機において、計量タンクの排出樋に装着する排出シャッタの開動によって貯留タンクの計量シャッタを閉動し、計量スイッチをＯＮしても閉状態の計量シャッタは開動しないものにして、計量と排出性能のよいものにする技術が特開平７−１７５０１号公報により公開されているところである。
【０００３】
【発明が解決しようとする課題】
このような技術が従来公開されているところであるが、本発明はこの穀物バッチ計量機において、オペレ−タの誤作動を積極的になくし計量のエラ−を防止するための具体案を提供し操作を容易にせんとするものである。
【０００４】
【課題を解決するための手段】
そして、本発明手段は、貯留タンクと計量タンクを上下に配置し、貯留タンクに装着した計量シャッタを計量スイッチのＯＮ操作によりコントロ−ラを介して作動し、貯留タンク内の穀粒を計量タンクで一括してバッチ計量するもので、計量タンクの排出樋に足踏みペダルの踏み込みにより開動する排出シャッタを設けるとともに、ペダルストッパ−の作動体をコントロ−ラに接続して、計量スイッチのＯＮ操作時ペダルストッパ−により足踏みペダルを踏み込めない状態にしたことを特徴とする穀物バッチ計量機の誤作動防止装置にしたものである。
【０００５】
また、そのとき、計量シャッタの全閉状態を検出するリミットスイッチをコントロ−ラに接続して、リミットスイッチのＯＮ作動によりペダルストッパ−を非作用状態にし踏み込みを可能なものにするか、足踏みペダルの踏み込み前の状態を検出する感知スイッチをコントロ−ラに接続して、感知スイッチのＯＮ作動により計量スイッチのＯＮ操作を可能にしたものである。
【０００６】
また、上記の穀物バッチ計量機において、計量タンクの排出樋の下部がわを計量タンクがわから分割分離して独立的に支持し、その独立的に支持した下部がわから出るものを容器に受けて収納する構成としたものである。
【０００７】
【発明の実施の形態】
【実施例】
以下、本発明による誤作動防止装置に関して実施例図を参照し具体的に説明するのであるが、この穀物バッチ計量機は図１図２および図３に示すように、枠台（１６）の上部がわに支承した貯留タンク（１）の下方に、立設する支持台（１７）によって計量秤（１８）と漏斗状の計量タンク（２）が支持され、その計量タンク（２）は１つの容器（９）分に相当する所定量ずつ一括して計量するもので、貯留タンク（１）と計量タンク（２）は上下に配置され、貯留タンク（１）の落下口（１９）から穀粒を落下させ計量タンク（２）によってバッチ計量するのである。
【０００８】
計量タンク（２）には排出樋（５）が連通連結し、その排出樋（５）に開閉用の排出シャッタ（１２）を設け、排出シャッタ（１２）の開動により計量タンク（２）内で計量された所定量のものが排出樋（１２）の出口（２０）から落下し容器台（２１）上に載置された袋製の容器（９）に収納される。
【０００９】
（１１）は容器台（２１）の手前右側部に設けた足踏みペダルであって、この足踏みペダル（１１）と前記排出シャッタ（１２）の作動用ア−ム（２２）とをワイヤ−（２３）で連繋して足踏みペダル（１１）の踏み込みによって排出シャッタ（１２）を開動し、足踏みペダル（１１）から足を離すとスプリングにより復動して排出シャッタ（１２）を閉動するのである。
【００１０】
そして、（Ｃ）は前記支持台（１７）上部の手前がわにおける右側部に取着したコントロ−ラであって、（Ｓ）は運転入切用の計量スイッチ、（２４）は計量タンク（２）内に存在する穀粒量を数字でもって表す表示部を示してある。
【００１１】
前記の貯留タンク（１）の落下口（１９）部にはこの落下口（１９）を全開・一部開・全閉の３通りに変える計量シャッタ（３）と、その計量シャッタ（３）の動作用ソレノイド（２５）を備え、ソレノイド（２５）は前記コントロ−ラ（Ｃ）に接続されて計量スイッチ（３）のＯＮ操作によって計量シャッタ（３）が開動して貯留タンク（１）内の穀粒を計量タンク（２）に落下させ、計量タンク（２）内に落入する穀粒は計量されその計量値がこくこく表示部（２４）に表示されていき、計量値が所定量に達するとコントロ−ラ（Ｃ）からの指示により計量シャッタ（３）は全閉する。そこで、足踏みペダル（１１）を踏み込むと排出シャッタ（１２）は開動し計量された所定量の穀粒は出口（２０）から落下して容器（９）内に収納されるのである。
【００１２】
このようにして計量タンク（２）で一括してバッチ計量し、その計量した所定量のものが容器（９）に収納されていくのであるが、図１〜図３に示している手段は、前記コントロ−ラ（Ｃ）の表示部（２４）に示される表示量が零を表示するとき以外、つまり、計量タンク（２）内に穀粒が有るとき、または、計量タンク（２）内に穀粒の有無を検出する検出センサ−（４）を設けてコントロ−ラ（Ｃ）に接続し、該センサ−（４）が穀粒有り検出時は、計量スイッチ（Ｓ）をＯＮ操作してもコントロ−ラ（Ｃ）はこれを無視してソレノイド（２５）に対して計量シャッタ（３）を開動する動作指示を与えない制御回路を構成し、計量タンク（２）内に穀粒が有るときは計量スイッチ（Ｓ）をＯＮしても計量シャッタ（３）は開動しないものにしている。
【００１３】
また、図３と図４に示す手段では、計量タンク（２）に連通連結する排出樋（５）に該樋（５）内を開閉する排出シャッタ（６）が設けられ、排出シャッタ（６）の開閉はソレノイドまたはエアシリンダからなる起動体（７）により行わせ、また、貯留タンク（１）の落下口（１９）を全開・一部開・全閉に切替える計量シャッタ（３）の作動をソレノイド（２５）によって行わせるとともに、その計量シャッタ（３）の全閉状態を検出するリミットスイッチ（８）を設け、これら起動体（７）とソレノイド（２５）とリミットスイッチ（８）をコントロ−ラ（Ｃ）に接続して、計量スイッチ（Ｓ）のＯＮ操作によって起動体（７）を介して排出シャッタ（６）を閉動させ、計量シャッタ（３）の接触によるリミットスイッチ（８）のＯＮ作動により閉状態の排出シャッタ（６）を開動させるようにしている。
【００１４】
なお、（２６）は排出シャッタ（６）の閉状態を感知する確認スイッチを示してある。
【００１５】
また、図３と図４において、計量タンク（２）の排出樋（５）に設けた排出シャッタ（６）の開閉を行う起動体（７）と計量シャッタ（３）の落下口（１９）の全閉状態を検出するリミットスイッチ（８）をコントロ−ラ（Ｃ）に接続し、これに加えて排出樋（５）の出口（２０）から落下するものを受ける容器（９）の存在を検出する近接式の検知スイッチ（１０）を設けてコントロ−ラ（Ｃ）に接続し、前記リミットスイッチ（８）と検知スイッチ（１０）の両者のＯＮによってコントロ−ラ（Ｃ）から起動体（７）に指令が出て排出シャッタ（６）を開動させるものにしている。
【００１６】
そして、前記検知スイッチ（１０）は容器（９）の検出をタイマ−によって一定時間持続することによってＯＮ作動するものにして容器（９）の存在検出を確実にしている。
【００１７】
つぎに、本発明に係る手段のものは、図１と図２および図５と図６に示すように、計量タンク（２）内で計量されたものは排出樋（５）に設けた排出シャッタ（１２）の開動により出口（２０）から落下して容器（９）に収納されるのであって、排出シャッタ（１２）の開動は足踏みペダル（１１）の踏み込みによって行うことは前述記載の通りであり、その足踏みペダル（１１）にはソレノイドまたはエアシリンダによって構成するところの作動体（１４）により出退するペダルストッパ−（１３）が足踏みペダル（１１）の先端部に嵌合または脱出することによって足踏みペダル（１１）をロックし、またそのロックを解除するようにして、その作動体（１４）をコントロ−ラ（Ｃ）に接続し計量スイッチ（Ｓ）のＯＮ操作時作動体（１４）が同時にＯＮしてペダルストッパ−（１３）を突出させ作用状態にして足踏みペダル（１１）をロックすることにより踏み込めないようにし、計量スイッチ（Ｓ）のＯＮ操作にょって計量シャッタ（３）が開動して計量が開始されると足踏みペダル（１１）はロックされて排出シャッタ（１２）は閉状態を保つのである。
【００１８】
この場合に、図３に示す計量シャッタ（３）の全閉状態を検出するリミットスイッチ（８）を設けてコントロ−ラ（Ｃ）に接続し、リミットスイッチ（８）のＯＮにより作動体（１４）を介してペダルストッパ−（１３）を退入させ非作用状態にし足踏みペダル（１１）のロックを解除して踏み込みを可能にし、排出シャッタ（１２）を開動させることができる。
【００１９】
また、踏み込み前の足踏みペダル（１１）に接触してその状態を検出する感知スイッチ（１５）を設けてコントロ−ラ（Ｃ）に接続し、感知スイッチ（１５）のＯＮ作動により計量スイッチ（Ｓ）のＯＮ操作を可能にして計量シャッタ（３）の開動により計量が開始される。
【００２０】
図７に示すように、計量タンク（２）の排出樋（５）の下部がわを計量タンク（２）がわから分割分離し、その分割した下部がわを支持台（１７）から突設する受金（２７）によって独立的に支持し、その独立的に支持した下部がわから出るものを容器（９）で受けるようにして、容器（９）を出口（２０）部に設置するときなど衝当による外力を計量タンク（２）やコントロ−ラ（Ｃ）に波及させないものにしたのである。
【００２１】
そして、図８に示すもののように、排出樋（５）に設けた足踏み式の排出シャッタ（１２）下方の出口（２０）近くにソレノイドまたはエアシリンダなどの起動体（７）により開閉する排出シャッタ（６）を備え、その起動体（７）をコントロ−ラ（Ｃ）に接続し、計量スイッチ（Ｓ）のＯＮ操作により起動体（７）を介して排出シャッタ（６）を閉動させ、足踏みペダルを誤って踏み込んでも穀粒が排出しないようにし、また、これに図３に示すところの計量シャッタ（３）の全閉状態を検出するリミットスイッチ（８）を加設してコントロ−ラ（Ｃ）に接続し、リミットスイッチ（８）のＯＮによる計量の終了確認後に排出シャッタ（６）が開動する構成のものにすることも考えられる。なお、図７に示す符号（２８）は手動式の排出シャッタである。
【００２２】
【発明の効果】
本発明は、以上説明したような形態で実施され、次に記載するような効果を奏する。
【００２３】
また、計量タンクの排出樋に足踏みペダルの踏み込みにより開動する排出シャッタを設けるとともに、ペダルストッパ−の作動体をコントロ−ラに接続して、計量スイッチのＯＮ操作時ペダルストッパ−により足踏みペダルを踏み込めない状態にしたことにより、足踏みペダルを踏み込んだまま計量スイッチをＯＮ操作したり、また、計量中に足踏みペダルを踏み込むなどの誤作動を防止できる。
【００２４】
そのとき、計量シャッタの全閉状態を検出するリミットスイッチをコントロ−ラに接続して、リミットスイッチのＯＮ作動によりペダルストッパ−を非作用状態にし踏み込みを可能にすると、足踏みペダルの踏み込みのタイミングを誤ることがなく計量エラ−が防止される。
【００２５】
加えて、足踏みペダルの踏み込み前の状態を検出する感知スイッチをコントロ−ラに接続して、感知スイッチのＯＮ作動により計量スイッチのＯＮ操作を可能にすることにより、排出シャッタによって排出樋が閉状態で計量が開始されて計量エラ−が防止できるものになる。
【００２６】
また、計量タンクの排出樋の下部がわを計量タンクがわから分割分離して独立的に支持し、その独立的に支持した下部がわから出るものを容器に受けて収納する構成にしたことによって、容器を排出樋の出口部に設置するとき不用意に接触や衝当による外力を排出樋を通して計量タンクやコントロ−ラに波及させることがないので正確な計量が実施できる。
【００２７】
なお、貯留タンクと計量タンクを上下に配置し、貯留タンクに装着した計量シャッタを計量スイッチのＯＮ操作によりコントロ−ラを介して作動し、貯留タンク内の穀粒を計量タンクで一括してバッチ計量するもので、計量タンク内の穀粒の存在を示す表示量が零を表示するとき以外、または、計量タンク内に穀粒の有無を検出する検出センサ−を設け、該検出センサ−の穀粒有り検出時は、前記計量スイッチをＯＮ操作してもコントロ−ラはこれを無視して計量シャッタは閉状態を保持し開動しない構成にすることにより、計量の開始時および計量後に計量タンク内に穀粒が存在するときは、計量シャッタは閉状態を保持して開動しないようになり、計量スイッチを誤って操作することがあってもこれにより発生する計量エラ−を防止することができる。
【００２８】
また、計量タンクの排出樋に装着する排出シャッタの起動体と計量シャッタの全閉状態を検出するリミットスイッチをコントロ−ラに接続して、前記計量スイッチのＯＮ操作により排出シャッタを閉動し、リミットスイッチのＯＮ作動によって排出シャッタが開動する構成にすることにより、排出シャッタの閉動と開動は適確に実施されて計量時の作動ミスを防止する。
【００２９】
そして、計量タンクの排出樋に装着する排出シャッタの起動体と計量シャッタの全閉状態を検出するリミットスイッチと排出樋から出るものを受ける容器の存在を検出する検知スイッチを設けてコントロ−ラに接続し、リミットスイッチと検知スイッチの両者のＯＮ作動により起動体を介して排出シャッタが開動する構成にすることによって、計量作業の能率が向上するとともに、排出樋から出るものの容器への受けそこねがない。
【００３０】
更に、検知スイッチは容器の検出を一定時間持続することによりＯＮ作動するものにすれば、容器の存在検出を確実に行い作動ミスが起こらないのである。
【図面の簡単な説明】
【図１】計量機全体の側面図である。
【図２】同計量機の正面図である。
【図３】貯留タンク下部の拡大側面図である。
【図４】貯留タンクを除いて示す計量機の拡大側面図である。
【図５】足踏みペダルの拡大側面図である。
【図６】同足踏みペダルの平面図である。
【図７】計量タンク部の他の実施例のものを示す側面図である。
【図８】同じく計量タンク部の別実施例のものを示す側面図である。
【符号の説明】
１    貯留タンク
２    計量タンク
３    計量シャッタ
４    検出センサ−
５    排出樋
６    排出シャッタ
７    起動体
８    リミットスイッチ
９    容器
１０  検知スイッチ
１１  足踏みペダル
１２  排出シャッタ
１３  ペダルストッパ−
１４  作動体
１５  感知スイッチ
Ｓ    計量スイッチ
Ｃ    コントロ−ラ
【図１】
0004295398.tif 000002
【図２】
0004295398.tif 000003
【図３】
0004295398.tif 000004
【図４】
0004295398.tif 000005
【図５】
0004295398.tif 000006
【図６】
0004295398.tif 000007
【図７】
0004295398.tif 000008
【図８】
0004295398.tif 000009